(57)【要約】【課題】  圧電体や異種金属間に流れる起電作用を利用し、無電源でもって顔や頭皮に効率良く起電した微弱電流を流す微弱電流活性具を提供すること。【解決手段】  圧電フィルム体を手袋や打具やフェイスマスクやヘアーネットの適所に設けることで、顔や頭皮表面に密接する圧電フィルム体がその動きに連動して変形するため、その変形する圧電フィルム体が起電する微弱電流を顔や頭皮の皮膚内に通電する構成。また適当な厚みで適当に撓んで弾性と導電性を持つ金属やプラスチックやゴムで基板を形成し、その基板上に圧電体を平板状に設け、その圧電体を一体に設けた基板を頭皮面や体表面を叩く打具内に設け、その打具によって頭皮面や体表面を叩くことで、圧電体で起電する微弱電流をその皮膚内に通電する構成。また手袋に異種の金属シートを互いに離して設け、イオン化傾向の作用で両金属シート間に流れる微弱電流を、接面する顔や頭皮の皮膚内に通電する構成。【選択図】  図４
2007202948.tif 000002
【特許請求の範囲】
【請求項１】
手に嵌める手袋において、該手袋の体表面と接面する部位に導電部（６）を形成し、該手袋に適当に撓んで適当な大きさの圧電フィルム（４：４ｂ）と、該圧電フィルム（４：４ｂ）の上面に電極（５）を設け、手袋を手に嵌めた状態で、圧電フィルム（４：４ｂ）に加わる圧力によってひずむ変位で起電する微弱電流を、圧電フィルム（４：４ｂ）から通電する導電部（６）と電極（５）から接面する皮膚の組織内に通電するようにした微弱電流活性具。
【請求項２】
手に嵌める手袋において、該手袋に適当に撓んで適当な大きさの圧電フィルム（４：４ｂ）と、該圧電フィルム（４：４ｂ）から通電する導電部（６：６Ａ）と導電部（６：６Ｂ）を設け、手袋を手に嵌めた状態で、圧電フィルム（４：４ｂ）に加わる圧力によってひずむ変位で起電する微弱電流を、導電部（６：６Ａ）と導電部（６：６Ｂ）から接面する皮膚の組織内に通電するようにした微弱電流活性具。
【請求項３】
適当な大きさの係着手段（１０）に体表面と接面する部位に導電部（６）を形成し、該係着手段（１０）に適当に撓んで適当な大きさの圧電フィルム（４：４ｂ）と、該圧電フィルム（４：４ｂ）の上面に電極（５）を設け、係着手段（１０）を別体の手袋に係着し該手袋を手に嵌めた状態で、圧電フィルム（４：４ｂ）に加わる圧力によってひずむ変位で起電する微弱電流を、圧電フィルム（４：４ｂ）から通電する導電部（６）と電極（５）から接面する皮膚の組織内に通電するようにした微弱電流活性具。
【請求項４】
適当な大きさの係着手段（１０）に適当に撓んで適当な大きさの圧電フィルム（４：４ｂ）と、該圧電フィルム（４：４ｂ）から通電する導電部（６：６Ａ）と導電部（６：６Ｂ）を設け、係着手段（１０）を別体の手袋に係着し該手袋を手に嵌めた状態で、圧電フィルム（４：４ｂ）に加わる圧力によってひずむ変位で起電する微弱電流を、導電部（６：６Ａ）と導電部（６：６Ｂ）から接面する皮膚の組織内に通電するようにした微弱電流活性具。
【請求項５】
手に嵌める１対の手袋において、該両方の手袋の体表面と接面する部位に導電部（６）を形成し、片方の手袋に適当に撓んで適当な大きさの圧電フィルム（４：４ｂ）を設け、両方の手袋を導電線（６ｄ）で接続し、両方の手袋を手に嵌めた状態で、圧電フィルム（４：４ｂ）に加わる圧力によってひずむ変位で起電する微弱電流を、両方の手袋に形成した導電部（６）と導電部（６）から接面する皮膚の組織内に通電するようにした微弱電流活性具。
【請求項６】
手に嵌める１対の手袋において、片方の手袋に適当な大きさの金属シート（７）を設け、もう片方の手袋に適当な大きさで前記金属シート（７）とはイオン化傾向が異なる金属シート（８）を設け、両方の手袋を導電線（６ｄ）で接続し、両方の手袋を手に嵌めた状態で、金属シート（７）と金属シート（８）との間で起電する微弱電流を、金属シート（７）と金属シート（８）の各面から、又は両方の手袋に形成した導電部（６）と導電部（６）から接面する皮膚の組織内に通電するようにした微弱電流活性具。
【請求項７】
手に嵌める手袋において、手袋に適当な大きさの金属シート（７）と、適当な大きさで前記金属シート（７）とはイオン化傾向が異なる金属シート（８）を設け、手袋を手に嵌めた状態で、金属シート（７）と金属シート（８）との間で起電する微弱電流を、金属シート（７）と金属シート（８）の各面から、又は手袋に形成した金属シート（７）から通電する導電部（６）と金属シート（８）から通電する導電部（６）から接面する皮膚の組織内に通電するようにした微弱電流活性具。
【請求項８】
体表面を叩く打具において、該打具に適当に撓んで導電性を有する基板（３）と、該基板（３）の上面に適当な大きさの圧電体（４）と、該圧電体（４）の上面に電極（５）を設け、さらに該電極（５）から通電する導電部（６：６Ａ）と前記基板（３）から通電する導電部（６：６Ｂ）を設け、打具を手に持って体表面を叩くことで、前記圧電体（４）に加わる圧力によってひずむ変位で起電する微弱電流を、導電部（６：６Ａ）と導電部（６：６Ｂ）から、又は導電部（６：６Ａ）と導通する凸部（６：６ａ）と導電部（６：６Ｂ）と導通する凸部（６：６ｂ）から接面する皮膚の組織内に通電するようにした微弱電流活性具。
【請求項９】
体表面を叩く打具において、該打具に適当に撓んで導電性を有する基板（３）と、該基板（３）の上面に適当な大きさの圧電体（４）と、該圧電体（４）の上面に電極（５）と、該圧電体（４）に打撃を与える打撃部（１ｇ）を設け、さらに該電極（５）から通電する導電部（６：６Ａ）と前記基板（３）から通電する導電部（６：６Ｂ）を設け、打具を手に持って体表面を叩くことで、前記圧電体（４）に打撃部（１ｇ）から加わる圧力によってひずむ変位で起電する微弱電流を、導電部（６：６Ａ）と導電部（６：６Ｂ）から、又は導電部（６：６Ａ）と導通する凸部（６：６ａ）と導電部（６：６Ｂ）と導通する凸部（６：６ｂ）から接面する皮膚の組織内に通電するようにした微弱電流活性具。
【請求項１０】
体表面を叩く打具において、該打具に適当に撓む柄部（１ｆ）を設け、該柄部（１ｆ）に適当に撓んで適当な大きさの圧電フィルム（４：４ｂ）を設け、さらに該圧電フィルム（４：４ｂ）から通電する導電部（６：６Ａ）と導電部（６：６Ｂ）を設け、前記柄部（１ｆ）を手に持って体表面を叩くことで、圧電フィルム（４：４ｂ）に加わる圧力によってひずむ変位で起電する微弱電流を、導電部（６：６Ａ）と導電部（６：６Ｂ）から、又は導電部（６：６Ａ）と導通する凸部（６：６ａ）と導電部（６：６Ｂ）と導通する凸部（６：６ｂ）から接面する皮膚の組織内に通電するようにした微弱電流活性具。
【請求項１１】
顔に装着するフェイスマスクにおいて、該フェイスマスクのバンド部（１ｈ）に適当に撓んで適当な大きさの圧電フィルム（４：４ｂ）を設け、さらに該圧電フィルム（４：４ｂ）から通電する導電部（６：６Ａ）と導電部（６：６Ｂ）を設け、前記バンド部（１ｈ）を頭に装着した状態で、圧電フィルム（４：４ｂ）に加わる圧力によってひずむ変位で起電する微弱電流を、導電部（６：６Ａ）と導電部（６：６Ｂ）から接面する皮膚の組織内に通電するようにした微弱電流活性具。
【請求項１２】
頭に被るヘアーネットにおいて、該ヘアーネットのバンド部（１ｈ）に適当に撓んで適当な大きさの圧電フィルム（４：４ｂ）を設け、さらに該圧電フィルム（４：４ｂ）から通電する複数の凸部（６：６ａ）と凸部（６：６ｂ）を各設け、前記バンド部（１ｈ）を頭に装着した状態で、圧電フィルム（４：４ｂ）に加わる圧力によってひずむ変位で起電する微弱電流を、前記複数の凸部（６：６ａ）と凸部（６：６ｂ）から接面する皮膚の組織内に通電するようにした微弱電流活性具。
【請求項１３】
前記圧電体（４）が圧電フィルム（４：４ｂ）でなる構成において、該圧電フィルム（４：４ｂ）の上面と下面に電極（５）を設けてなる請求項１〜５、８〜１２のいずれか１項記載の微弱電流活性具。
【請求項１４】
前記微弱電流活性具にＬＥＤ（９）を設け、圧電体（４）に加わる力によってひずむ変位で起電する微弱電流を、ＬＥＤ（９）の点灯で確認できるようにした請求項１〜５、８〜１２のいずれか１項記載の微弱電流活性具。
【発明の詳細な説明】
【技術分野】
【０００１】
本発明は、物性が持つ起電作用を利用し、その起電する微弱電流で体の細胞組織を活性化する微弱電流活性具に関する。
【背景技術】
【０００２】
人間の体は細胞でできており、頭を使ったり運動したりすると、その使われる細胞は使えば使うほど刺激を受けて活性化することが解かっている。そして体内には１００〜２００μＡの生体電流が流れており、神経繊維や筋繊維では微弱な電流刺激によって、その細胞膜に一連の電気的変化が生じ、１ヵ所に生じた電気的変化により隣接部が刺激されて次々と興奮を起こし、その興奮が繊維を伝わっていく性質がある。そしてその生体電流が細胞組織の乱れで、細胞組織のイオン配列の障害となってスムーズに流れなくなると、人間が本来持っている自然治癒力が低下し、疾患の原因にもなっていた。そこで生体電流に近い微弱電流を体外から流してやることで、細胞が活性化され自然治癒力が高まることがピッツバーグ大学の研究結果でも報告されており、その治療法として微弱電流療法（マイクロカレントセラピー）がある。その微弱電流療法によって、個々の細胞や組織が傷ついた場合、体外から微弱（＝損傷）電流を人工的に流してやることで、その修復に必要なエネルギーを供給するＡＴＰ（アデノシン三燐酸）酵素の生成や、たんぱく質の合成等が促進されて自然治癒力が高まり、治癒（回復）が速まることが証明されている。前記のピッツバーグ大学の研究結果では、細胞内のＡＴＰ合成が５０％アップし、たんぱく質の合成が７０％アップし、細胞間輸送が４０％アップしたという報告がある。そして微弱電流治療器として微弱電流発生装置が開発され製品化されており、公知公報では例えば特許公表２００５−５２９６８９号公報が提案されている。またエステサロンでは、微弱電流発生装置から給電される微弱電流を導電手袋によって顔や頭皮に当てて通電し、顔においては肌の細胞組織の活性化を促し、頭皮においては毛母細胞の発毛エネルギー（ＡＴＰ）の増加を促すトリートメントが行われている。そこでこの微弱電流のトリートメントが家庭でもできれば好ましいが、既製の微弱電流発生装置は価格が１０万円以上はするため、エステサロンに行く以外にはそのトリートメントは容易ではなかった。
【０００３】
そこで本発明者は、物性が持つ起電作用に着目し本発明に至ったもので、結晶体や磁器材料でなる圧電体に圧力を加えると起電するピエゾ効果や、異種金属間に起きるイオン化作用の働きで起電するイオン化傾向の性質があり、そのピエゾ効果やイオン化傾向の作用を利用して起電する微弱電流を体内に流せば、前記した微弱電流によるトリートメント効果が得られる。
ピエゾ効果を利用して圧電体に加える圧力で起電させる方法を、図１９に基づいて説明すると、図１９（ａ）において、圧電体の表面に矢印（↓）の圧電体を圧縮する力（圧縮応力）を加えると、図のように圧電体が縮む方向にひずみ、その際に起電流ｉを起電する。次に圧縮する力を取り去ると圧電体は元の形状に戻り、その際に逆向きの起電流ｉを起電する。また図１９（ｂ）において、圧電体の表面に矢印（↓＆↑）の圧電体を曲げる力（せん断応力）を加えると、図のように圧電体が曲がる方向にひずみ、その際に起電流ｉを起電する。次に曲げる力を取り去ると圧電体は元の形状に戻り、その際に逆向きの起電流ｉを起電する。この場合前記の圧縮する力でひずむ変位量に比べて、曲げる力でひずむ変位量の方がはるかに大きいため、曲げによる力で起電する起電流の方がはるかに大きくなる。
【０００４】
【特許文献１】特許公表２００５−５２９６８９号公報
【発明の開示】
【発明が解決しようとする課題】
【０００５】
本発明は、前述の問題に鑑みてなされたもので、圧電体や異種金属間に流れる起電作用を利用し、無電源でもって顔や頭皮に効率良く起電した微弱電流を流す微弱電流活性具を提供することである。
【課題を解決するための手段】
【０００６】
本発明は、圧電体として適当に撓む圧電フィルム体を設けて構成することで、圧電フィルム体にいかなる方向からの圧力や外力を加えても、その方向に圧電フィルム体が自由に変形し、その都度圧電フィルム体に曲げや引張りのひずみが生じ、そのため継続して起電し微弱電流を発生できるため、その圧電フィルム体を手袋や打具やフェイスマスクやヘアーネットの適所に設けることで、手の平や顔や頭皮表面に密接する圧電フィルム体がその動きに連動して変形するため、その変形のひずみによる圧電フィルム体が起電する微弱電流を顔や頭皮の皮膚内に通電する構成である。
また本発明は、金属やプラスチックやゴムが持っている弾性と可撓性の性質を利用し、適当な厚みで適当に撓んで弾性と導電性を持つ金属やプラスチックやゴムで基板を形成し、その基板上に圧電体を平薄状に設けることで、基板にいかなる方向からの圧力や外力が加わっても、その方向に基板と一体となって圧電体が撓んで変形し、さらにその基板が持つ弾性によって元の形に戻るため、基板に加わる圧縮や曲げ（せん断）の外力や圧力に対して、継続して起電して微弱電流を発生できるため、その圧電体を一体に設けた基板を打具内に設け、その打具によって頭皮面や体表面を叩くことで、圧電体で起電する微弱電流をその皮膚内に通電する構成である。
また本発明の手袋は、異種の金属シートを互いに離して設け、イオン化傾向の作用で両金属シート間に流れる微弱電流を、接面する顔や頭皮の皮膚内に通電する構成である。
【発明の効果】
【０００７】
本発明の圧電フィルム体を設けて構成した微弱電流活性具は、その圧電フィルム体が適当に撓んで自由に変形するため、その圧電フィルム体にあらゆる方向から加わる圧縮や曲げ（せん断）や引張りの圧力や外力でも、その圧電フィルム体がその方向にひずんで変形し継続して起電し微弱電流を発生できるため、本微弱電流活性具は無電源でもってトリートメントが可能であり、圧電フィルム体は体表面の形状によくフィットして変形するためかさばらず、また無電源のため電源コードが不要であり、どこでも自由な姿勢で動きながらいかなる体表面にもトリートメントが可能である。
また本発明を適当に撓んで弾性のある基板上に圧電体を平板状に設けて構成した微弱電流活性具は、あらゆる方向から加わる圧縮や曲げ（せん断）の圧力や外力によっても、圧電体がその基板の変形に追従してその方向にひずんで変形するため、継続して起電し微弱電流を発生でき、そしてその変形の中で曲げの変形による変位量を大きくとれるため、起電する起電流をとても大きくとれ、効率良く起電する微弱電流でトリートメントが可能である。
また本発明を異種の金属シートで構成する手袋の微弱電流活性具は、平薄状で異種の金属シートで形成するため、自由な形に屈曲し、皮膚面がどんな形状に変化してもフィットしてその皮膚面に接面でき、同様に無電源のため電源コードが不要であり、どこでも自由な姿勢で動きながらいかなる体表面でもトリートメントが可能である。
【実施例】
【０００８】
本発明の実施例の構成を図面を基に説明する。
図１〜図１０は、本発明の微弱電流活性具を手袋に実施した構成を示すものである。図１〜図７において、各図（ａ）は１対の手袋の手の平側の正面図を示し、各図（ｂ）は右手袋の手の平側の正面図とそのＸ−Ｙ方向に分解した側面図を示し、各図（ｃ）は各構成部品に分解した正面図を示す。また図８〜図１０は１対の手袋の手の平側の正面図を示す。
【０００９】
図１において、手袋１Ａを布材で形成し、導電性のカーボン材を含浸させて手袋１Ａ全体を導電性にして、手袋１Ａに導電部６を形成している。そしてその手袋１Ａの手の平の中央に、図１８（ｃ）に示す圧電体４として、その上面と下面に電極５を設けた圧電フィルム４ｂを、手袋１Ａ上の導電部６と下面の電極５とが導通するよう貼設し構成したものである。この構成で上面に設けた電極５の面積は、圧電フィルム４ｂ体の上面の面積より若干小さめに設けており、手袋１Ａ上の導電部６と上面に設けた電極５との間に隙間をつけて接触しないように構成している。
【００１０】
この構成で手袋１Ａを手に嵌めて手の平や指全体を動かすと、圧電フィルム４ｂ体に図１９（ｂ）に示す曲げや伸縮する方向に撓みやひずみが生じるため、圧電体のもつピエゾ効果により、その都度圧電フィルム４ｂは微弱電流の起電流を発生する。そして図１１に示すように、両手袋１Ａ、１Ａを顔に当てて、手の平や指の平全体で肌をマッサージをすると、肌と接面する電極５と手袋１Ａ上の導電部６との間に閉回路ができるため、肌の皮膚組織内に圧電フィルム４ｂで起電した微弱電流が流れる。ここで皮膚組織内に流れる微弱電流は、マイクロアンペア程度であるため、びりびりするような感覚は全く無く、手の平全体でお肌のマッサージをしながら微弱電流によるトリートメントが可能である。既製の微弱電流発生装置は、一定のパターンで微弱電流を加電するが、本発明の手袋１Ａは手の動きに連動して、様々なパターンで起電する微弱電流の刺激をランダムに加えられるため、とても効果的である。ここで本発明を構成する圧電（ピエゾ）フィルム４ｂは、例えば米国ＭＳＩ（Measurement Specialties. Inc）社が製品化しているポリフッ化ビニリデン（PVDF）で構成でき、その圧電（ピエゾ）フィルム４ｂに外力や圧力が加わるとその方向に撓んで変形し、その都度微弱電流の起電流を発生する。後述する圧電（ピエゾ）セラミック４ａと比べて、１０倍以上の起電圧を発生させることができ、本発明の微弱電流活性具１を圧電（ピエゾ）フィルム４ｂで構成すれば、少ない面積分で済み、その厚みも２８μｍ、５２μｍ、１１０μｍと非常に薄くてかさばらず、体表面にフィットさせてトリートメント効果が得られる。ここで圧電（ピエゾ）フィルム４ｂに設ける電極５は、図１８（ｃ）に示すように、圧電（ピエゾ）フィルム４ｂの上面と下面の両面に設けて構成してもよいが、圧電（ピエゾ）フィルム４ｂの上面のみに電極５を設けて、圧電（ピエゾ）フィルム４ｂの下面に密着して設ける導電部６との間で導電性を良くして構成してもよい。電極５を圧電（ピエゾ）フィルム４ｂの上面と下面の両面に設ければ、その下面の電極５に密着して設ける導電部６、及び後述する導電シート６ｃや導電部６Ｂとの導通状態をさらに良くして構成し実施できる。また圧電（ピエゾ）フィルム４ｂの周りに環状の絶縁膜を貼り、その部分が上面に設けた電極５と導電部６との間で絶縁するように構成してもよい。ここで電極５は金属材を被膜することで形成でき、その被膜方法にはニッケル銅合金によるスパッタ方法や銀のシルクスクリーン印刷方法やアルミ蒸着方法等がある。手袋１Ａに形成する導電部６は、手袋１Ａを特殊導電性繊維やアクリルとナイロン繊維等でなる有機繊維で形成して構成することもでき、また手袋１Ａの手の平側に導電ゴム材や導電性のウレタンフォームを平薄状に形成して構成してもよい。
【００１１】
図２は、図１に示した構成で、手袋１Ａの手の平側に複数の導電性の凸部６ａ、６ａ・・・６ａを設けて構成したものである。この構成であれば、各凸部６ａによる押圧の刺激効果も与えられ、また肌に当接する各凸部６ａからの導電性が良くなり、微弱電流が流れ易くなる。形成する各凸部６ａは導電ゴム材で形成し溶着又は貼着して構成できる。
【００１２】
図３は、手袋１Ａの手の平側に導電ゴム材で形成した導電部６Ａと導電部６Ｂを設けて構成したものである。図３（ｃ）に示すように、手袋１Ａの手の平側の上にアルミ箔材でなる導電シート６ｃを貼り、その上に圧電フィルム４ｂを重ねて設け、その圧電フィルム４ｂの上にドーナツ状に樹脂材で形成した平薄の絶縁シート２を重ね、その上から導電ゴム材でなる導電部６Ａと導電部６Ｂを図の様に重ねて貼付けて構成したものである。その構成で圧電フィルム４ｂの上面に設けた電極５は、絶縁シート２の開口部分から導電部６Ｂと接面して導通状態となり、前記の導電シート６ｃは、圧電フィルム４ｂの下面に設けた電極５及び導電部６Ａと接面して導通状態となる。そのため圧電フィルム４ｂに圧力や外力を加え撓みやひずみを起こすと、その圧電フィルム４ｂで起電した微弱電流は導電部６Ａと導電部６Ｂから接面する肌の皮膚組織内へと通電される。導電ゴムで形成した導電部６Ａと導電部６Ｂは、前実施例の手袋１Ａに含浸させたカーボン材でなる導電部６と比べて導電性が良く、起電した微弱電流を効率良く肌の皮膚組織内へと通電できる。ここで構成する導電部６Ａと導電部６Ｂは、箔状の銅箔材やアルミ箔材で形成して実施することもでき、また導電ゴム以外にカーボン等の導電材や導電プラスチック等で形成し構成してもよい。
【００１３】
図４は、図３で示した構成の導電部６Ａと導電部６Ｂの面上に、凸部６ａと凸部６ｂをそれぞれ形成して構成したものである。この構成であれば、各凸部６ａと凸部６ｂによる押圧の刺激効果も加えられ、また肌に当接する各凸部６ａと凸部６ｂから微弱電流が流れ易くなり、起電した微弱電流を効率良く肌の皮膚組織内へと通電できる。
【００１４】
図５は、適当な大きさの係着手段１０に導電部６を一面に形成し、その面上に圧電フィルム４ｂの下面の電極５が導通するように貼付けて設け、その係着手段１０の裏面に面ファスナー（登録商標：マジックテープ）１０ａを設けて微弱電流活性具１を構成したものである。この本発明の微弱電流活性具１は市販の手袋１３に係着でき、前記の図２で示した実施例と同様に実施可能になる。この構成であれば、別体の手袋１３に着脱でき、その手袋１３が汚れてきた時など、手袋１３を本発明の微弱電流活性具１から取り外して洗濯が可能である。
【００１５】
図６は、図５で示した係着手段１０上に、図３で示した導電シート６ｃと圧電フィルム４ｂと絶縁シート２と導電部６Ａと導電部６Ｂを重ねて設けて本発明の微弱電流活性具１を構成したものである。この構成であれば、前実施例と同様市販の手袋１３に着脱でき、手袋１３が汚れてきた時など、手袋１３を本微弱電流活性具１から取り外して洗濯が可能である。尚、市販の手袋１３は係着し易いよう、表面の毛並みが立ってる方がよく、例えばポリエステル５０％、ナイロン５０％の素材の手袋１３で実施可能である。
【００１６】
図７は、手袋１Ａの中に導電部６Ａと圧電フィルム４ｂと絶縁シート２と導電部６Ｂを重ねて設け、導電部６Ａに形成した凸部６ａと導電部６Ｂに形成した凸部６ｂを、手袋１Ａの手の平側に形成した開口部１ａ、１ａ・・・１ａから、突出させて設けて構成したものである。この構成であれば、肌と触れる導電部６は凸部６ａと凸部６ｂの各先端部のみとなり、より効率的に通電し易くなり同様に実施可能である。
【００１７】
図３、図４、図６、図７で示した各構成で、圧電フィルム４ｂの上面に電極５を設けてるが、その上面に電極５を設けず、圧電フィルム４ｂの上面に密着して設ける導電部６Ｂ（又は導電部６Ａ）との間で導電性を良くして構成してもよい。
図４〜図７で示した各構成では、皮膚面に当接する導電部６として凸部６ａと凸部６ｂを形成しており、その構成で頭皮面に当てると、髪の毛の間から直接その凸部６ａと凸部６ｂの先端部を頭皮面に当接でき、その構成によって起電した微弱電流をより効果的に頭皮の皮膚組織内へと通電できる。
【００１８】
図８は、１対の手袋１Ａと手袋１Ａの間で起電した微弱電流を流すように構成したものである。１対の手袋１Ａと手袋１Ａの全体を前実施例と同様に導電性の導電部６を形成し、一方の手袋１Ａの内側に圧電フィルム４ｂをその上面の電極５が、導電部６と導通するように貼付けて設け、その下面の電極５と導通する導電シート６ｃを設け、その導電シート６ｃに導電線６ｄを接続し、両方の手袋１Ａと手袋１Ａをつないで構成したものである。この構成で左手袋１Ａと右手袋１Ａとは互いに異極となり、左手袋１Ａに圧力や外力が加わって圧電フィルム４ｂが撓みやひずむことで、各手袋１Ａと手袋１Ａの導電部６から接面する皮膚組織内の間に起電した微弱電流を通電できる。尚、両方の手袋１Ａ、１Ａをつなぐ導電線６ｄは接続したり外したりできる構成にしてもよい。
【００１９】
図９、図１０は、手袋１Ａに異種金属の金属シート７と金属シート８を設けて、イオン化傾向の作用を利用して皮膚の組織内に微弱電流を通電するようにした構成である。
【００２０】
図９において、１対の手袋１Ａと手袋１Ａの全体を前実施例と同様に導電性の導電部６を形成し、一方の手袋１Ａの面上にアルミ箔でなる金属シート７を貼付け、もう一方の手袋１Ａの面上に銅箔でなる金属シート８を貼付け、両金属シート７と金属シート８に導電シート６ｃを各接続し、両方の導電シート６ｃ、６ｃに導電線６ｄをつないで構成したものである。その構成で両方の手袋１Ａと手袋１Ａを皮膚面に接面させると、両手袋１Ａ、１Ａと皮膚間に閉回路が形成されるため、イオン化傾向が異なる金属シート７と金属シート８との間に、イオン化傾向の作用で起電流が発生し、金属シート７と金属シート８と接面する皮膚組織の間に微弱電流を通電できる。
【００２１】
図１０においては、各手袋１Ａの面上の上部にアルミ箔でなる金属シート７を貼付け、同手袋１Ａの面上の下部に銅箔でなる金属シート８を貼付け、両金属シート７と金属シート８を導電シート６ｃで接続して構成したものである。この構成によって、両金属シート７と金属シート８の金属面と接面する皮膚間に同様に閉回路が形成され、金属シート７と金属シート８と接面する皮膚組織内に微弱電流を通電できる。尚、図９及び図１０に示した構成において、各金属シート７と金属シート８を手袋１Ａ内に設け、手袋１Ａ上に各金属シート７と金属シート８と導通する導電部６、６を形成して構成してもよい。また導電シート６ｃを金属シート７（又は金属シート８）の端部を延ばして導電シート６ｃの部分を形成し、互いに接面するように構成してもよい。イオン化傾向としては、イオン化傾向の小さい金属から大きい金属に順に並べると、金→銀→銅→鉛→ニッケル→鉄→亜鉛→アルミニウム→チタン→マグネシウム→ナトリウムとなり、このうち汎用性があり導電性が良い銅、アルミニウム、チタンのいずれか２つの組合せで金属シート７と金属シート８を形成して実施することが好適である。また図１〜図１０で示した各実施例の手袋１Ａは、ポリエステル、ナイロン、アクリル、綿、絹、麻等の素材で構成して実施できる。また図１、図２、図５に示した構成で、露呈する圧電フィルム４ｂの上面の電極５の面上に、圧電フィルム４ｂを保護する導電性の部材を設け、電極５からその部材が接面する皮膚の組織内に通電するように構成してもよく、その構成も本発明の構成に含まれる。
【００２２】
図１２〜図１４は、本発明の微弱電流活性具１を打具１Ｂに実施した構成を示すものであり、図１２、図１３に示す構成では、図１８（ａ）（ｂ）に示す圧電体４で構成している。
【００２３】
図１２において、図12（ａ）は本発明の分解した構成を示すもので、手で握って持つ柄部１ｆを設けた蓋体１ｂに、図の様に大小の開口部１ａを各形成し、その蓋体１ｂと嵌合する嵌合部１ｃを設け、その嵌合部１ｃの側周面に螺刻部１ｄを形成し、嵌合部１ｃ内側にウレタンフォームでなる弾性部１ｅを設けている。本構成において、蓋体１ｂ内に螺刻部１ｄで螺嵌するようになっており、弾性部１ｅの面上に電極５と圧電体４と一体にして設けた基板３を遊嵌し、その基板３の面上に導電ゴム材でなる導電部６Ａとドーナツ形の導電部６Ｂを図のように重ね、その導電部６Ａが電極５の面上に、導電部６Ｂが露呈する基板３の面上にそれぞれ載設させ、その上から蓋体１ｂに嵌合部１ｃを螺嵌させて本実施例の打具１Ｂを構成する。図１２（ｂ）は、図１２（ａ）に示した状態から蓋体１ｂに嵌合部１ｃを螺嵌させた状態を示したもので、図１２（ｃ）はその構成の断面図を示している。本実施例の構成で柄部１ｆを手で持ち、図１５に示すように頭皮面上を叩くと、前記の導電部６Ａと導電部６Ｂの上に半球状に形成する凸部６ａと凸部６ｂの先端部が頭皮面と衝突し、同時に基板３がその衝撃力によって内側に若干撓むため、その基板３上に設けた圧電体４もそのひずみに追従して撓み、ひずみを生じて起電流を発生する。そしてその電極５から通電する凸部６ａと、基板３から通電する凸部６ｂと接面する皮膚組織内に微弱な起電流が通電できる。尚、本打具１Ｂにおいて、特に凸部６ａと凸部６ｂを設けず、平面状の導電部６Ａ及び導電部６Ｂの面で体表面を叩き、その部位から接面する皮膚組織内に微弱な起電流を通電するように構成してもよい。
本構成で前記の電極５と圧電体４と一体に設けた基板３の構成としては、実施例として基板３を厚さ約０.０７ｍｍ、直径５０ｍｍの黄銅板で形成し、その基板３の上面中央に約０.０６ｍｍ厚で直径２５ｍｍの圧電体４を設け、その圧電体４の上面全域を銀でなる電極５を厚膜印刷（シルクスクリーン印刷）によって、数１０ミクロンの厚みに設けて構成できる。尚、基板３を金属で形成した場合は、適当な厚みと弾性のある黄銅、アルミ、銅、合金でなる４２ALLOY等で実施でき、また基板３を薄いプラスチック材でその面上にアルミ蒸着して形成したり、導電性のカーボン等を成膜して構成してもよい。また基板３全体を導電ゴムや導電性プラスチック材で形成して構成してもよい。基板３の厚みとしては、適当に撓んで弾性を持つ厚みであればよく、金属板で形成した場合は実施例として、０.５〜０.３ｍｍ以下で０.１ｍｍ以下であればさらによい。また基板３と電極５との間を若干隔てるため、圧電体４の上面に設ける電極５の面積をいくらか小さくして設けて構成してもよい。圧電体４を圧電（ピエゾ）セラミック４ａで構成する場合は、チタン酸ジルコン酸鉛（PZT）の他に、チタン酸バリウム（BaTiO3）、チタン酸鉛、ニオブ酸鉛、ニオブ酸リチウム等を焼結して分極処理したもので構成でき、また圧電（ピエゾ）フィルム４ｂで構成する場合は、フィルム状のポリフッ化ビニリデン（PVDF）等で構成して実施できる。いずれの物質も圧力を加えることで、物質内に電気分極が生じて起電流を発生する。
本実施例では発光ダイオードのＬＥＤ９を設けており、起電流が発生してることをＬＥＤ９の点灯で確認できるようにしている。ＬＥＤ９は導電部６Ａと導電部６Ｂと各導通するように接続しており、本打具１Ｂで頭皮面を叩いた時、中に設けた基板３が撓み、その撓みに追従する圧電体４で起電する起電流でＬＥＤ９が点灯するように構成できる。本実施例の構成によって、実際に起電流を発生しながらトリートメントしてることが、ＬＥＤ９の点灯で確認することができる。尚、本発明の各実施例の構成にもＬＥＤ９を設けて各実施してもよい。また導電部６Ａと導電部６Ｂも導電ゴム材以外に、アルミ材や銅材などの金属で形成して構成してもよい。
【００２４】
図１３は、図１２で示した蓋体１ｂと嵌合部１ｃの構成において、嵌合部１ｃ内に慣性力で動く打撃部１ｇを設けたものである。図のように打撃部１ｇをアルミ材で形成して設け、図１５に示すように本実施例の打具１Ｂの柄部１ｆを手で持ち頭皮面を叩くと、叩いた瞬間に打撃部１ｇは基板３の面にぶつかり、その衝撃で図１９（ａ）で示す圧電体４を圧縮させるひずみが生じるため、起電流を発生する。そして前実施例と同様に電極５と導通する凸部６ａと、基板３と導通する凸部６ｂと当接する皮膚組織内に微弱な起電流を通電できる。尚、図１２、図１３に示した構成では、特に柄部１ｆを設けないで、蓋体１ｂ全体を手で持つように構成して実施してもよい。
【００２５】
図１４、本発明の打具１Ｂの他の実施例の構成を示したものである。本打具１Ｂの構成では可撓性のある柄部１ｆを設けており、その柄部１ｆ内に図１８（ｄ）に示す圧電フィルム４ｂ体を設けて構成したものである。図１８（ｄ）に示すように、圧電フィルム４ｂ体を可撓性のある樹脂材１１で内包し、圧電フィルム４ｂの上面と下面に設けた電極５、５と各導通する電極端子５ａ、５ａを突出させて構成している。この構成によって内包する圧電フィルム４ｂを防湿状態にでき、また強い衝撃が加わっても圧電フィルム４ｂが樹脂材１１で保護されるため破損等ない。本実施例の構成を図１５に示すように頭皮面を叩くと、図１４（ｃ）から図１４（ｂ）に移行する間に柄部１ｆは可撓性があるため適当に撓み、同時に内部に設けた圧電フィルム４ｂ体も追従して撓んで、その撓みとひずみによる起電が起き微弱電流を発生する。本実施例の構成では、前記の電極端子５ａ、５ａから通電される多数のピン状の凸部６ａと凸部６ｂを蓋体１ｂに設けており、ある程度毛がふさふさした頭皮面でも、そのピン状の凸部６ａと凸部６ｂの先端部分を当接させて通電できる。尚、本発明の打具１Ｂは、頭皮面に限らず顔や体の各部を叩いてトリートメントすることも可能である。尚、前実施例と同様、本打具１Ｂにおいて、特に凸部６ａと凸部６ｂを設けず、平面状の導電部６Ａ及び導電部６Ｂの面で体表面を叩き、その部位から接面する皮膚組織内に微弱な起電流を通電するように構成してもよい。
【００２６】
図１６は、本発明をフェイスマスク１Ｃに構成して実施するものである。顔に被せるフェイスマスク１Ｃを図の様に両目と鼻と口の部分に開口部１ａを形成し、フェイスマスク１Ｃの両端にバンド部１ｈ、１ｈを設ける。図１６（ａ）は、そのバンド部１ｈ、１ｈの両端に互いに係止する係止部１ｉ、１ｉを設けており、面ファスナー（登録商標：マジックテープ）でなる係止部１ｉ、１ｉを互いに係止して、フェイスマスク１Ｃを顔に装着が可能である。図１６（ｂ）は、バンド部１ｈ、１ｈを伸縮するバンドで形成したもので、そのバンド部１ｈ、１ｈを頭に被せることで、フェイスマスク１Ｃを顔に装着できる。本実施例の構成ではフェイスマスク１Ｃを顔に装着した際に、図１８（ｄ）に示す圧電フィルム４ｂ体が丁度こめかみ部分に当接するように、バンド部１ｈ、１ｈに設けている。そして図の様にフェイスマスク１Ｃの内面に導電部６Ａと導電部６Ｂを設け、前記の圧電フィルム４ｂの各電極５、５と導通する電極端子５ａ、５ａを、導電シート６ｃで導電部６Ａと導電部６Ｂに各接続して構成している。この構成のフェイスマスク１Ｃを顔に装着した状態で、しゃべったり、物を食べたりして口を動かすと、圧電フィルム４ｂに当接するこめかみ部分は、常に動いて起伏を起こすため、その部分に当接する圧電フィルム４ｂは適当に撓んでひずみを起こし微弱な起電流を発生する。そしてフェイスマスク１Ｃの内面に設けた導電部６Ａと導電部６Ｂの面から、顔の額と頬に接面する皮膚組織内へと微弱電流が流れる。この発明の構成であれば、普段の生活の中でフェイスマスク１Ｃを顔に装着していれば、起電する微弱電流による肌の活性化とトリートメントが可能であり美白効果もある。フェイスマスク１Ｃは、例えば綿８０％、ポリエステル２０％の素材で形成して実施でき、またフェイスマスク１Ｃの内面に設ける導電部６Ａと導電部６Ｂは、箔状の金属（アルミ箔やチタン箔等）や平薄状の導電ゴム材で形成して実施できる。
【００２７】
図１７は、本発明をヘアーネット１Ｄに構成して実施するものである。図１７（ａ）（ｂ）に示すように、頭に被るヘアーネット１Ｄの下端部にバンド部１ｈを設け、そのバンド部１ｈの両端に面ファスナー（登録商標：マジックテープ）で互いに係止する係止部１ｉ、１ｉを設けている。この係止部１ｉ、１ｉを互いに係止させることで、ヘアーネット１Ｄをしっかりと頭に固定でき、そして図１７（ｆ）に示すように、ヘアーネット１Ｄを頭に被せた状態で、前実施例と同様に図１８（ｄ）に示す圧電フィルム４ｂ体を、丁度こめかみ部分に当接するようその両側面に設けている。ヘアーネット１Ｄの内側には、電極端子５ａ、５ａと各導通する多数の凸部６ａと凸部６ｂを適当な間隔で設けた構成にしている。この構成で図１７（ｆ）に示すように、ヘアーネット１Ｄを頭に被せた状態で、しゃべったり、物を食べたりして口を動かすと、こめかみ部分が常に動いて起伏を起こすため、その部分に当接する圧電フィルム４ｂは適当に撓んでひずみを起こし、微弱な起電流を発生する。そして頭皮面に当接してる凸部６ａと凸部６ｂから皮膚組織内へと起電した微弱電流が流れる。尚、他の実施例の構成として、図１７（ｃ）に示すようにヘアーネット１Ｄを格子状に構成してもよく、その構成によるヘアーネット１Ｄを頭を下にして被ることで、その格子の各隙間から髪の毛の束を出して装着でき、そのヘアーネット１Ｄの内側に設けた多数の凸部６ａと凸部６ｂの先端部を、直に頭皮面に当接させて装着できる。また図１７（ｄ）に示すように、幾つかパターン化したサブヘアーネット１Ｄを用意し、適当に設けた係止部１ｉによってメインのヘアーネット１Ｄの内側に装着できるように構成してもよい。また図１７（ｅ）に示すように、ヘアーネット１Ｄにてこ部１ｊを設け、てこの原理を応用して僅かな皮膚１２での起伏でも、その動きを増幅して圧電フィルム４ｂを撓ませるように構成してもよい。また図１６及び図１７で示した構成で、係止部１ｉの一方を適当に横長に形成し、係止位置を可変して装着できるように構成してもよい。また圧電フィルム４ｂの設ける位置も、本実施例のようにこめかみに当接する位置以外で、適当な位置に設けて構成してもよい。
【００２８】
前述した本発明の手袋１Ａと打具１Ｂは、疾患のある部位に微弱電流の刺激を加えることもでき、その起電した微弱電流によってその部位の細胞を活性化すると共に、自然治癒力が高められ、その部位の痛みの緩和や治りを早くすることも可能である。微弱電流施療は元々アスリートやプロスポーツ選手が打撲やじん帯損傷などの治療に使われてるもので、ワールドカップイングランド代表のベッカム選手が骨折治療に取り入れ短期間で治療したことが知られており、本発明は治療のために実施することも可能である。尚、本発明で構成する圧電体４及び圧電フィルム４ｂの大きさと厚さを適当に設定することで、起電と通電する微弱電流量を適当に選定してよい。
【図面の簡単な説明】
【００２９】
【図１】（ａ）本発明の１実施例の正面図（ｂ）本発明の１実施例の正面図とそのＸ−Ｙ方向の分解縦断面図（ｃ）本発明の各構成部品に分解した正面図
【図２】（ａ）本発明の１実施例の正面図（ｂ）本発明の１実施例の正面図とそのＸ−Ｙ方向の分解縦断面図（ｃ）本発明の各構成部品に分解した正面図
【図３】（ａ）本発明の１実施例の正面図（ｂ）本発明の１実施例の正面図とそのＸ−Ｙ方向の分解縦断面図（ｃ）本発明の各構成部品に分解した正面図
【図４】（ａ）本発明の１実施例の正面図（ｂ）本発明の１実施例の正面図とそのＸ−Ｙ方向の分解縦断面図（ｃ）本発明の各構成部品に分解した正面図
【図５】（ａ）本発明の１実施例の正面図（ｂ）本発明の１実施例の正面図とそのＸ−Ｙ方向の分解縦断面図（ｃ）本発明の各構成部品に分解した正面図
【図６】（ａ）本発明の１実施例の正面図（ｂ）本発明の１実施例の正面図とそのＸ−Ｙ方向の分解縦断面図（ｃ）本発明の各構成部品に分解した正面図
【図７】（ａ）本発明の１実施例の正面図（ｂ）本発明の１実施例の正面図とそのＸ−Ｙ方向の分解縦断面図（ｃ）本発明の各構成部品に分解した正面図
【図８】本発明の１実施例の正面図
【図９】本発明の１実施例の正面図
【図１０】本発明の１実施例の正面図
【図１１】本発明を実施した状態の正面図
【図１２】（ａ）本発明の１実施例の各構成部品に分解した斜視図（ｂ）本発明の１実施例の斜視図（ｃ）本発明の１実施例の縦断面図
【図１３】（ａ）本発明の１実施例の斜視図（ｂ）（ｃ）本発明の１実施例の縦断面図
【図１４】（ａ）本発明の１実施例の正面図（ｂ）（ｃ）本発明の１実施例の側面図
【図１５】本発明を実施した状態の正面図
【図１６】（ａ）（ｂ）本発明の１実施例の正面図
【図１７】（ａ）本発明の１実施例の斜視図（ｂ）本発明の１実施例の正面図（ｃ）本発明の１実施例の斜視図（ｄ）本発明の１実施例の縦断面図（ｅ）本発明の１実施例の側面図（ｆ）本発明を実施した状態の側面図
【図１８】（ａ）本発明の１実施例の構成の側面図（ｂ）本発明の１実施例の構成の正面図（ｃ）本発明の１実施例の構成の側面図（ｄ）本発明の１実施例の構成の正面図
【図１９】（ａ）（ｂ）本発明の起電原理を示す側面図
【符号の説明】
【００３０】
１  ：  微弱電流活性具
１Ａ  ：  （微弱電流活性具の）手袋
１Ｂ  ：  （微弱電流活性具の）打具
１Ｃ  ：  （微弱電流活性具の）フェイスマスク
１Ｄ  ：  （微弱電流活性具の）ヘアーネット
１ａ  ：  開口部
１ｂ  ：  蓋体
１ｃ  ：  嵌合部
１ｄ  ：  螺刻部
１ｅ  ：  弾性部
１ｆ  ：  柄部
１ｇ  ：  打撃部
１ｈ  ：  バンド部
１ｉ  ：  係止部
１ｊ  ：  てこ部
２  ：  絶縁シート
３  ：  基板
４  ：  圧電体
４ａ  ：  圧電（ピエゾ）セラミック
４ｂ  ：  圧電（ピエゾ）フィルム
５  ：  電極
５ａ  ：  電極端子
６  ：  導電部
６Ａ  ：  導電部
６Ｂ  ：  （導電部６Ａと異極の）導電部
６ａ  ：  （導電部６及び６Ａ上の）凸部
６ｂ  ：  （導電部６Ｂ上の）凸部
６ｃ  ：  導電シート
６ｄ  ：  導電線
７  ：  金属シート
８  ：  （７と異種の）金属シート
９  ：  ＬＥＤ
１０  ：  係着手段
１０ａ  ：  面ファスナー（登録商標：マジックテープ）
１１  ：  樹脂材
１２  ：  皮膚
１３  ：  （係着手段と別体の）手袋
【図１】
2007202948.tif 000003
【図２】
2007202948.tif 000004
【図３】
2007202948.tif 000005
【図４】
2007202948.tif 000006
【図５】
2007202948.tif 000007
【図６】
2007202948.tif 000008
【図７】
2007202948.tif 000009
【図８】
2007202948.tif 000010
【図９】
2007202948.tif 000011
【図１０】
2007202948.tif 000012
【図１１】
2007202948.tif 000013
【図１２】
2007202948.tif 000014
【図１３】
2007202948.tif 000015
【図１４】
2007202948.tif 000016
【図１５】
2007202948.tif 000017
【図１６】
2007202948.tif 000018
【図１７】
2007202948.tif 000019
【図１８】
2007202948.tif 000020
【図１９】
2007202948.tif 000021